(57)【要約】  スキーストック、ダンベルおよび自転車のハンドルなどを把持する必要があるデバイスとともに使用するための、指なしまたは指付きのエルゴノミックグローブを提供する。グローブ形状は、親指、指および手のひら上に構築区域をもつスポーツに適したグローブのものであり、それにより、着用者が物を把持するときに、親指が支持され、手および手首が全体的に前腕と整列した中立位置にある。親指リテーナは、屈曲中に親指を位置決めし、支持するために提供される。グローブはまた、ともに３つの部分を有する２つの異なる構成のパッド付き内装物または外装物を備えており、内装物または外装物は、連続する指の収縮を漸進的に制限するように機能する。内装物／外装物は、指関節を直線的に整合させる。グローブは、安定性および移動効率を高めるために、ユーザの身体部分、詳細には肩、臀部、脚などのアライメントおよび安定化の改善を促進する。【特許請求の範囲】
【請求項１】
外側層と任意選択の裏地とを有し、ユーザの手に合わせて整形されサイズ設定された、布地、革または他の好適な材料で作製されたエルゴノミックグローブであって、
前記グローブが、前記外側層の内部にともに配設されている、親指を支持するための親指リテーナと内装物とを有し、
前記内装物が、第１の手のひら部分、第２の中間あるいは運動制限部分、および第３の指部分の３つの部分を有し、
前記内装物が、一体型可撓性構造として形成され、それにより、グローブの着用者によって物が把持されたときに、前記親指が屈曲し、前記手および手首が、前記着用者の前腕と整列する中立位置に維持される、
エルゴノミックグローブ。
【請求項２】
前記親指リテーナが、波型構成を有する可撓性の半剛性部材である、請求項１に記載のグローブ。
【請求項３】
前記親指リテーナの底部表面が、その側方配置では凹型であり、前記親指の末節骨と基節骨との間の関節線の区域内で前記親指を支持するように適合される、請求項２に記載のグローブ。
【請求項４】
前記親指リテーナは、前記親指を支持しながら親指が関節を動かすことができるように、可撓性プラスチックで作製される、請求項２に記載のグローブ。
【請求項５】
前記親指リテーナは、前記親指を支持しながら親指が関節を動かすことができるように、可撓性材料で作製される、請求項３に記載のグローブ。
【請求項６】
前記グローブには裏地が付いておらず、前記親指リテーナは、接着剤の塗布によってグローブに取り付けられる、請求項４に記載のグローブ。
【請求項７】
前記グローブには裏地が付いており、前記親指リテーナが、前記外側層と前記裏地との間に縫い付けられる、請求項４に記載のグローブ。
【請求項８】
前記グローブには裏地が付いており、前記親指リテーナが、前記裏地の外側層から離れている面への接着剤の塗布により前記グローブに取り付けられる、請求項４に記載のグローブ。
【請求項９】
外側層と裏地とを有し、ユーザの手に合わせて整形されサイズ設定された、エルゴノミックグローブであって、前記グローブの前記外側層の内部にともに配設されている、親指リテーナと内装物とを有し、
前記内装物が、前記親指以外の４本の指の各々の基節骨を被覆するための第１の部分あるいは指部分、前記親指以外の手のひらとの接合部において前記４本の指の関節線を被覆するために配設される中間部分、および手のひら部分の３つの部分を有する、
エルゴノミックグローブ。
【請求項１０】
前記内装物の前記第１および第２の部分は、１つのセクションが各指に対応する４つのセクションをそれぞれ有し、前記第１の部分の各セクションが、そのそれぞれの指の中手指節間関節線から、その指のそれぞれの指間球まで延びる、請求項９に記載のグローブ。
【請求項１１】
前記内装物の前記第２の部分の各セクションが、前記それぞれの指の前記指間球に隣接して位置する、請求項９に記載のグローブ。
【請求項１２】
前記各セクションは、それらの間にクレバスをもつ２つのセグメントを備える関節線であり、それぞれの関節線の前記クレバスが、小指から前記親指に向かって徐々に狭く、かつ浅くなる、請求項１１に記載のグローブ。
【請求項１３】
前記手のひら部分が、前記中間関節線の一部分から手首に向かって、前記親指の幅の中央を通る前記手全体に延びた仮想線まで後方に延びる、請求項９に記載のグローブ。
【請求項１４】
前記手のひら部分の遠位縁部が、波状構成である、請求項１３に記載のグローブ。
【請求項１５】
前記手のひら部分の遠位縁部が、直線である、請求項１３に記載のグローブ。
【請求項１６】
前記手のひら部分が、拡張されたパッドを含み、着用者の前記親指の小指球区域となる付近まで前記手首に向かって後方に延びる、請求項９に記載のグローブ。
【請求項１７】
前記指部分が、前記手のひら区域から離れる方向に延び、それぞれの指セクションが、着用者のそれぞれの指の前記中手指節間関節線区域付近に対応する場所に配設された第２の関節線を含む、請求項９に記載のグローブ。
【請求項１８】
前記手のひら部分が、拡張されたパッドを含み、着用者の前記親指の小指球区域となる付近まで前記手首に向かって後方に延び、さらに、前記指部分が、前記手のひら区域から離れる方向に延び、それぞれの指セクションが、着用者のそれぞれの指の前記中手指節間関節線区域付近に対応する場所に配設された第２の関節線を含む、請求項１に記載のグローブ。
【請求項１９】
外側層と任意選択の裏地とを有し、ユーザの手に合わせて整形されサイズ設定された、エルゴノミックグローブであって、
前記グローブが、前記外側層の内部にともに配設されている、親指を支持するための親指リテーナと内装物とを有し、記親指リテーナが、波型構成を有する可撓性の半剛性部材であり、前記親指リテーナの底部表面が、その側方配置では凹型であり、
前記内装物が、第１の手のひら部分、第２の中間あるいは運動制限部分、および第３の指部分の３つの部分を有し、
前記内装物が、一体型可撓性発泡構造として形成され、前記内装物の前記第１および第２の部分はそれぞれ、１つのセクションが各指に対応する４つのセクションを有し、前記第１の部分の各セクションが、そのそれぞれの指の中手指節間関節線から、その指のそれぞれの指間球まで延び、
手のひらであって、前記手のひら部分が、前記中間関節線の一部分から手首に向かって、前記親指の幅の中央を通る前記手全体に延びた仮想線まで後方に延び、さらに、前記手のひら部分の遠位縁部が、波状構成であり、
それにより、グローブの着用者によって物が把持されたときに、前記親指が屈曲し、前記手および前記手首が、前記着用者の前腕と整列する中立位置に維持される、
エルゴノミックグローブ。
【請求項２０】
前記手のひら部分が、拡張されたパッドを含み、着用者の前記親指の小指球区域となる付近まで前記手首に向かって後方に延び、さらに、前記指部分が、前記手のひら区域から離れる方向に延び、それぞれの指セクションが、着用者のそれぞれの指の前記中手指節間関節線区域付近に対応する場所に配設された関節線を含む、請求項１９に記載のグローブ。
【請求項２１】
前記グローブの指先が切り取られている、請求項１に記載のグローブ。
【請求項２２】
前記グローブの指先が切り取られている、請求項１２に記載のグローブ。
【請求項２３】
前記内装物および前記親指支持部がともに、前記グローブの外部に装着される、請求項２に記載のグローブ。
【請求項２４】
前記内装物が、第５指が最も容易に収縮し、人さし指の収縮が最も困難である状態で前記指の漸進的な指収縮能力を達成するために、厚さが変動する材料の複数の層の様々な組合せの前記指部分中に形成される、請求項１０に記載のグローブ。
【請求項２５】
外側層を有し、任意選択で裏地が付いている、ユーザの手に合わせて整形されサイズ設定された、エルゴノミックグローブであって、前記グローブが、親指を支持するための外部に装着される親指リテーナと前記グローブの手のひら部分および指部分の同じく外側を覆う外装物とを有し、前記親指リテーナが、波型構成を有する可撓性の半剛性部材であり、前記親指リテーナの底部表面が、その側方配置では凹型であり、前記外装物が、第１の手のひら部分、第２の中間あるいは運動制限部分、および第３の指部分の３つの部分を有する、エルゴノミックグローブ。
【請求項２６】
前記外装物が、一体型可撓性発泡構造として形成され、前記外装物の前記第１および第２の部分は、１つのセクションが各指に対応する４つのセクションをそれぞれ有し、前記第１の部分の各セクションが、中手指節間関節線から、その指のそれぞれの指間球まで延び、前記手のひら部分が、手首に向かって、前記親指の幅の中央を通る前記手全体に延びた仮想線まで後方に延びる、請求項２５に記載のグローブ。
【請求項２７】
前記外装物が、漸進的な制限収縮パターンを達成するために、前記指の各々と前記手のひら部分との間に深さが変動する切込部を有する、発泡ポリウレタンで形成される、請求項２５に記載のグローブ。
【請求項２８】
前記指の前記漸進的な制限収縮は、各指について複数の材料の層を使用することによって達成され、前記層の厚さの和は、人さし指について最も厚く、第５指について最も薄い、請求項２５に記載のグローブ。
【請求項２９】
前記グローブの指先が切り取られている、請求項２５に記載のグローブ。
【請求項３０】
前記親指リテーナが、可撓性プラスチックで作製される、請求項３に記載のグローブ。
【請求項３１】
前記第５指の前記指部分のための前記パッドがない、請求項２５に記載のグローブ。
【請求項３２】
前記第５指の下方の前記指部分のための前記パッドがない、請求項２５に記載のグローブ。
【請求項３３】
前記第５指の前記指部分および前記第５指の下方の前記手のひら部分の両方のための前記パッドがない、請求項２５に記載のグローブ。
【請求項３４】
前記第５指の前記指部分または前記第５指の下の前記指部分のためのいずれかまたは両方の前記パッドがない、請求項２９に記載のグローブ。
【請求項３５】
前記多層外装物が、非円弧状の手のひら部分を有する、請求項２８に記載のグローブ。
【発明の詳細な説明】
【技術分野】
【０００１】
本発明は、ユーザが、スキーのストック、ハンドツール、自転車のハンドル、松葉杖、および特定の指配置を含むより有益なエルゴノミックに把持部運動を行うことが必要な他の物などの物を把持できるようにする、対で使用される特殊な手袋に関する。この指配置は、最適な骨格アライメントを生成し、より有益なエルゴノミックに様々な身体的活動を実行するようにユーザの手を位置決めする。
【背景技術】
【０００２】
エンジニアとは、機械および構造の作製の設計または計画、ならびにそれらの実装について訓練された者、または熟練した者である。人間の労働力の最も良好な使用は、事業活動を目的とするか、または遊興活動を目的とするかにかからわらず、産業工学の領域に含まれる。人間と機械と機械装置との相互作用は、人間工学すなわちエルゴノミクスの領域に含まれる。したがって、エルゴノミクスの分野に従事する出願人には、漕艇、サイクリング、箱または物を持ち上げること、引くこと／押すこと、ならびに他の作業または遊戯に関する機械的運動のような多くの日常的な作業および活動は、よりバランスのとれた様式で、つまり、エルゴノミックフレンドリーに行うことができるとことが分かった。すなわち、行為を行っている当事者の手は、サイクリング、漕艇およびウェイトリフティングのような競技タスク、または持ち上げること、搬送すること、押すこと、および道具を使用することのような作業タスクを実行しているときに、使いすぎたり、誤って使用したりすることによって疲労する、または負担を受けることがなくなる。
【０００３】
いかによりエルゴノミックなモードで毎日の作業を実行するかという問題に対するアプローチは、あらゆる道具、器具またはユーザが取り扱う物体を変えるという観点からではなく、世の中に既に存在する既存のエルゴノミックフレンドリーでない物にユーザを適応させるという観点からアプローチされる。たとえば、問題は、「水を減らすか、橋を上げるか？」と言い換えることができる。したがって、出願人は、世の中で毎日使用される既存の物に適応するときに、手をエルゴノミックに機能するように適応させる固有の手法に到達した。
【０００４】
出願人は、すべてのハンドル、スキーのストック、オールなどを変えられるわけではないので、そのような物を指および手を握るか関節を動かすモードを変更することに着手した。このようにして、本発明のグローブが生まれた。
【０００５】
したがって、本発明は、以下の詳細な開示および添付の特許請求の範囲に示される範囲に例示される特徴的プロパティおよび構成要素の関係を有するデバイスを含む。
【０００６】
本発明の性質および目的をより十分に理解するために、添付の図面とともに、以下の詳細な説明を参照する。
【発明の概要】
【０００７】
ユーザの手に合わせて整形されサイズ設定された革または布地で作製された、断熱されたまたは断熱されていないグローブであって、専用に構成されたゴム、またはケブラー（登録商標）、ノーメックス（登録商標）などのような他の材料と、指によるハンドル、ポール、ツールまたは対象物、あるいはバーの把持モードを変えるように設計された内装物とを有する、グローブ。親指は、支持部によって、その動きを制限され、その位置を修正される。内装物と支持部とはそれぞれ、外側層とグローブの裏地との間に、または、皮膚が直接接触する裏地層の下に縫い付けられるか、または糊付けされる。
【０００８】
第１の目的は、新しいエルゴノミックグローブを提供することであり、その左は右の鏡像バージョンである。
【０００９】
第２の目的は、ユーザがよりエルゴノミックフレンドリーに物を把持することを可能にするグローブを提供することである。
【００１０】
第３の目的は、ハンドルおよびバーを不適切に持ち上げること、ならびに、数字を入力するタイピング中および手工具の使用中も手の位置が不適切なことによってユーザが手首を痛めることを防止するグローブを提供することである。
【００１１】
第４の目的は、手首の怪我を防止または抑止するために、レーキの使用のような特定の作業を行う仕事中に、および、ウェイトリフティングなどの競技時に、スポーツで使用するためのエルゴノミックグローブを提供することである。
【００１２】
第５の目的は、中立位置で親指を支持するグローブを提供することである。
【００１３】
第６の目的は、可変抵抗を発生させるために、様々なサイズの溝、あるいは、１つに糊付け、熱溶接または縫合することができる材料の層を使用して、段階的に指の収縮を制限するグローブを提供することである。
【００１４】
第７の目的は、ユーザの生物力学的効率を改善するグローブを提供することである。
【００１５】
第８の目的は、指付きグローブと同様に動作するが、使用法が異なる指なしグローブを提供することである。第９の目的は、小指から人さし指へと抵抗が段階的であり、しがって、小指（第５指）は薬指（第４指）よりも、中指（第３指）よりも容易に収縮でき、最も収縮しにくい指は、親指に隣接する人さし指（第２指）である、グローブを提供することである。
【００１６】
本発明の別の目的は、以下を参照すると、部分的に明瞭になり、部分的に明らかになるであろう。
【図面の簡単な説明】
【００１７】
【図１】親指が延びている状態の（開放位置の）本発明の右エルゴノミックグローブ（掌側）の頂面切欠図である。左手グローブは、その鏡像である。
【図２】本発明の左グローブを製造する際に使用される左手発泡ゴム内装物の背面側の頂面図である。
【図３】包含的に３Ａ〜３Ｄで示され、４本の指の各々の屈曲クレバスの深さおよび幅の変化を示す本発明の内装物のそれぞれの指部セグメントの４つの側立面図を一連で示した図である。
【図４】手のひら側から見たグローブを付けた左手（掌側）の斜視図であり、このグローブをユーザが着用したときに動きが制限されることを示している。
【図５】本発明の支持態様上の保持位置に示される左グローブ親指の側面斜視図である。
【図６】図４からわずかに回転させた左手グローブの図であり、グローブの指の中央（支持構造を提供しないグローブの区域を構成するグローブの一部分）が切り取られている。
【図７】親指区域を除いた、本発明のグローブを製造する際に採用される様々な層を示す断面図である。
【図８】図７の構成の代替構成を示す図である。
【図９】図２に関係するが、右手からの内装物の底部側または手のひら側の図である。
【図１０】掌側から見た場合の本発明の右手グローブの親指リテーナの左斜視図である。
【図１１】図１に示したグローブに組み込むことができる２つの変形形態を示すという点で図１と類似する図である。
【図１２】親指が延びた状態の、つまり、開放位置にある、本発明の第２の実施形態の左手グローブの頂面図である。右手グローブは、その鏡像である。掌側の図が示されている。
【図１３】本発明で使用するための代替的に構築された内装物の頂面図（手のひら側）である。
【図１４】外部に装着され、外装物として示される、図１３の内装物との頂面図である（掌側）。
【図１５Ａ】発明のグローブの変形形態である。
【図１５Ｂ】図１５Ａのデバイスの変形形態の代替形態である。
【発明を実施するための形態】
【００１８】
本明細書で用いられる「頂面」という用語は、図の平面を指す。人間の手は、２つの面を有し、（爪が生えている）裏面は、正しくは甲側と呼ばれる。手のひら側は、技術的に掌側と呼ばれる。
【００１９】
本発明の第１の実施形態のエルゴノミックグローブ１０を図１に示す。エルゴノミックグローブ１０は、その中に専用の内装物１２を有する任意の標準的な最小限の裏地が付けられたグローブ１１を備える。内装物は、図３に単体で示されており、エルゴノミックグローブ１０は、親指を支持するための親指リテーナ３０も含む。図７に、親指区域を除く本発明のグローブを構成する様々な層の断面図を示す。これらのいくつかの図の各々についてそれぞれ個別に論じる。
【００２０】
次に図１を参照すると、本発明の右手エルゴノミック指付きグローブ１０が示されている。本発明のグローブ１０は、内容を明らかにし、内装物１２とこの内装物がその中に配設される標準的なグローブ１１とをよりよく示すために、手のひら側を切り取って示されている。したがって、切取線３５、３６、３７は、標準的なグローブ１１の手のひら側を識別するために保持される標準的なグローブの布地の境界を示す。
【００２１】
同じく標準的なグローブ１１内に配設される親指サポート３０について以下に論じる。したがって、内装物１２は、３つの部分（手のひら部分１４、図３にすべての４本の指について詳細に示す中間あるいは運動制限部分４９、および図２で左手に示される指部分１９）を有する。
【００２２】
グローブ１１は、競技用グローブまたは運転用グローブなど、任意の標準的な薄い裏地が付いたグローブまたは任意の裏地無しグローブである。そのようなグローブは、図７に示された６０など、革または人工皮革あるいは他の好適な材料の外側層と、グローブの上面または手のひら側のための綿または他の材料の任意選択の布裏地６１と、同じく任意選択の裏地６３、および手の裏部分を被覆するための外側層６４とを有する。内装物１２は、この図７の構成では、裏地層６１と裏地層６３との間に配設され、したがって、着用者の手と直接接触する。ただし、図８の交替構成では、内装物１２は、外側層６０と裏地層６１との間に介挿される。
【００２３】
内装物１２は、軟質ポリウレタン、上記の軟質フォーム、その他の可能な材料から形成される単一構造は、革、ケブラー（登録商標）、ノーメックス（登録商標）または軟質ゴムのような不燃性または耐燃性の材料であり得るが、３つの部分を有する。第１の部分は、指ごとに１つずつ４つのセクションを有するディジット（指）または指部分１９であり、それらの各々、内装物の左手バージョンか、右手バージョンかを示すために「Ｌ」表示または「Ｒ」表示のついた２０、２１、２２、２３で示される。第２の部分は、図３の４１、４２、４３、４４で示される同じく４つのセクションからなる中間部分または関節線（ｃｒｅａｓｅ）部分３９である。第３の部分は、図１および図２に最もよく示されている手のひら部分１４である。
【００２４】
図２には、本発明の右手グローブ用の内装物１２が示されている。これは、手が視界に入らないように手の裏から見た図である。したがって、ビューアは、内装物１２の下ではなく、上にいる。指または第１の部分１９は、４本の指の各々の近位の指節骨のみを被覆し、親指は被覆しない。ここで、４つのセクションは、２０Ｌ、２１Ｌ、２２Ｌ、２３Ｌと指定される。「Ｌ」は、これらが、本発明の一部を成す内装物の左手ユニット用であることを示している。右手の内装物は、その鏡像である。
【００２５】
内装物１２の第１の部分１９の各セクションは、各指の中手指節間関節線付近から、手首に向かう方向に後方に、その指のそれぞれの指間球まで延びる。各第１の部分セクションは、図示のような円弧状の前縁部、または所望に応じて直線的に切断された前縁部を有することができる。
【００２６】
内装物の中間部分は、部分３９であり、また、４つのセクションを、親指を除くそれぞれの指ごとに１つのセクションを有する。この部分は、図３の下位図３Ａ、３Ｂ、３Ｃ、３Ｄに大まかに拡大されて示される。中間セクションを示しているこれらの４つの下位図は、関節線の正しい配置が図１に示されているそれらの使用位置から９０度に配向されている。各セクションは、それぞれの指と隣接する手のひら区域との間の関節線である。
【００２７】
図３Ａは、小指と、手のひら区域の一部に隣接する第５掌骨または第４指の側立面図を表す。これは、図１１の線６８−６８に沿っている。図３Ｂは、内装物の第３指の関節線と、その指および隣接する手のひら区域との同様の立面図である。これは、図１１の線６９−６９に沿っている。図３Ｃは、第２指の関節線の同様の図であり、図１１の線７０−７０に沿っている。一方、図３Ｄは、人さし指の関節線あって、図１１の線７１−７１に沿っている。ここに述べたこれらの関節線はすべて、それぞれの指の指間球に隣接して位置する。これらの指間球は、このように配向された立面図に示される。
【００２８】
各関節線４９は、ここでは平面として示される２つのセグメント、をすなわち、それぞれの指の第１の部分と、その間にクレバスをもつ手のひら部分の指球または上側区域とを備える。これらの下位図から、内装物の４本の指のそれぞれの関節線の各クレバスは、小指から親指に向かって徐々に狭く、かつ浅くなっていることを理解されたい。図３Ａを図３Ｄに比較されたい。
【００２９】
下位図を参照すると、用語４４Ｕ、４３Ｕ、４２Ｕ、４１Ｕという指示はすべて、図１に示したそれぞれの関節線の上側セグメントまたは傾斜壁を指し、４４Ｌ、４３Ｌ、４２Ｌ、４１Ｌはすべて、それぞれの関節線の下側のセグメントまたは傾斜壁を指し、下側セグメントは、特定のクレバスとそれぞれの指間球との間の鏡像傾斜壁であることが分かる。すなわち、これらの４１Ｌ〜４４Ｌで示される表面は、第１の部分からそれぞれのクレバスまで通じる傾斜壁である。関節線のクレバスは、それぞれ、４５、４６、４７、４８で示される。図３を参照されたい。これらの中間セクションは、それらが指の屈曲を様々な量で制限するので、運動制限部とみなすことができる。これらの下位図の各々は、第１の部分と、１本の指と、その関節線および手のひらの一部とを区別するために、内装物を通り、手のひら区域を通ってスライスすることによって作成される。後方縁部４９Ａ〜４９Ｄは、手のひら部分の断面残部がここには示されなく、この線が人工的な縁部を表すという点で、ギザギザ状にそれぞれ示される。図２および図９を参照すると、それらが共に全体的に同じ輪郭を有するという何らかの混乱が生じ得る。図２は使用不能であり、すなわち、左手用の内装物の関節線側または裏面がない。一方、図９は、右手用の内装物のユーザ表面または前面である。図９のユニットには関節線が存在することを留意されたい。内装物の第３の部分は、手のひら部分１４である。これは、平坦で、約１／８〜１／４インチ厚の発泡ゴムまたは他の材料あるいは材料の組み合わせのセグメントであり、切断されていても、あるいは、層化され、中間部分に取り付けられていてもよい。それは、図１に直線として示されるように、その遠位縁部すなわちから遠位の縁部では平坦であり得、図２および図９に示すようにその遠位縁部では波状であり得る。基礎的な内装物の手のひら部分は、中間関節線の一部分から、親指の幅の中央を通って手の両端間に延びた仮想線まで、手首に向かって後方に延びる。しかし、遠位縁部がより後方にある場合の図１１に関する以下の議論を参照されたい。その議論は、親指支持部に関して論じた後に述べる。図示のように図９では、指の伸長方向に対してわずかに曲げられた溝またはチャネル４０〜４３が示されている。また、これらの溝は、指の伸長方向に対してまっすぐに９０度で交差し得る。
【００３０】
次に、親指支持部３０を説明するので、図１を再び参照されたい。このエレメントは、波型構成を有し、かつアーチ型セグメントを有する可撓性の複雑な曲線状のプラスチックまたは他の材料の部材である。このエレメントは、垂直方向配置ではいくぶん直立している。親指に隣接する底部表面３１（図１１参照）は、親指の凸形状に合致するために、その側方配置では凹型である。表面３１は、支持部３０上の所望の位置で親指を保持するように親指をわずかに囲む。
【００３１】
底部表面３１は、親指の遠位および近位の指節骨間の関節線のわずかに下方とそのわずかに上方の両方で親指を支持する。図１０に見られる断続的なアーチ型セグメント３３は親指を安定させるが、このセグメントは図１では見えていないので、図１０も同様に参照されたい。このアーチ型セグメント３３は、支持表面３１に対してやや横方向に延びており、把持している親指の側面に係合する。基本的に、本願出願人は、把持している親指を所望の快適な傾斜屈曲位置に配置し、維持するのを助けるために、親指の安静位置を変更する。図１０に示される支持部３０は右手親指用であり、したがって、図１の観点からは、断続的なアーチ型セグメントを見ることができない。支持部３０の側面を３２で示す。図１０を参照されたい。
【００３２】
支持部３０は、ナイロンまたは他のポリアミドなどの可撓性材料で作製することができ、したがって、親指は、支持されたまま、関節を動かすことが可能である。支持部３０は、従来のグローブ１１の裏地と外側層との間の所定の位置に縫い付けられるか、または糊付けされる。グローブ１１に裏地が付いていない場合、好適な接着剤により支持部３０を取り付けて、所望の位置に保持することができる。
【００３３】
本発明のエルゴノミックグローブ１０内に入れたときに見える手を示すために、図４〜図６を提供する。グローブ１０の親指は５１で示され、それぞれの指は包含的に５２〜５５で示される。後方リブがなく、手首全体にわたって延びていない図６のいわゆるショートグローブでは、後方縁部４９が見えており、矢印は、その中に置かれた手５０を指す。図を見ると分かるように、手５０は、図４〜図６のいくつかの透視点に示すような曲率を達成するように、内装物１２によってグローブ１１内に支持される。
【００３４】
図７の内装物１２は、裏地層６１と裏地層６３との間にこの構成で配設され、したがって、手と直接接触する。一方、図８の交替構成では、内装物１２は、外側層６０と裏地層６１との間に介挿される。
【００３５】
図９については、すでに簡単に参照している。その全体が内装物の前面であり、上述した関節線の厳密な配置を示している。
【００３６】
この第１の実施形態については、一方の手のみについて説明し、一方の本発明のグローブのみ説明してきたが、本発明のグローブは、１つは右手用、１つは左手用の一対の組合せで使用される場合が最も優れている。そのようにすると、最大に利益が得られる。第２の実施形態もまた、好ましくは、対で使用すべきである。
【００３７】
図１１に示されるグローブは、図１のグローブ１０に基づく複合材グローブの断面である。ここで、本発明のグローブ１００は、図２に示した基礎的な内装物１２を利用し、そこには、いくつかのセクションが追加されており、したがって、内装物はここでは１２０で示される。本発明が組み込まれた基礎的なグローブは、ここでは１１１で示される。記載すべき第１の特徴的追加事項は、手のひら区域に延びたパッド１２１である。これは、後方縁部１２２から、グローブの構成に応じて所望される量まで、図示されるように、所望される場合にはそのグローブのまさしく後方縁部１２３までずっと延びることができる。切取線１３６は、この図の右親指の後方まで小指球区域１５０をたどる。
【００３８】
この図１１に示した第２の特徴的追加事項は、第１の特徴的追加事項とは別に、または第１の特徴的追加事項と併せて追加することができる。第２の特徴は、以下で記載する関節線の第１のセットと設計および寸法が類似する関節線の第２のセットを有するように、内装物１２０の指部分の指セクションの各々が延びることに関する。関節線のこの第２のセットの配置は、着用者の各指の中手指節関節の関節線にほぼ対応する場所に配設される。これらの第２の関節線は、２４３、２４２、２４１、２４０でそれぞれ示される。下側面および上側面の名称は、図１１から明らかなように保持される。それぞれ、二重関節線実施形態の下側関節線は、１４３、１４２、１４１、１４０で示される。
【００３９】
本願出願人は、１９９９年１１月９日に発行された米国特許第５，９７９，０１５号の発明者である。この特許は、一対のハンドグリップに関する。グローブの手のひら部に配設される、このエルゴノミックグローブの内装物のチャネルは、スキーストックまたはハンドツールのような他の構造に組み込まれた場合、指がグリップのセット上またはグリップ上に置かれたときに行われる作業中に指が収縮したときに、ハンドグリップに対して同じ効果を奏する。手がグリップを包み込むので、指と親指は、グリップに対して正確な位置に配置または誘導されるが、エルゴノミックグローブとしてのグローブ内では、作業表面の周りに包まれる。
【００４０】
１．屈曲位置で親指を支持する親指シェルフ：
【００４１】
ａ）骨を中立位置に引き戻すことによって、掌骨および指骨が動かないように保つ。親指が拡張位置にあるとき、掌骨はレバーとして作用し、尺骨の偏差を生じるニュートラルアラインメントから手および手首の骨をシフトさせる。
【００４２】
ｂ）手が回内（内側回転）し過ぎないように保つ。親指を延ばすと、手の独立した回内が開始して、手首と肘とを反対方向に移動させる、すなわち、手は内側に回転し、肘は身体から離れるように回転しようとする。
【００４３】
ｃ）補助は、単一の平面上に手の骨を保持する。これにより、線形パターンで指を収縮させることが可能になり、そうでない場合には、指を収縮させるにつれて、指が捻じれる。また、親指を延ばすと、手首および手が伸び過ぎる。
【００４４】
さらに、グローブは、関連付けられた前腕に対する手の所望される全体的にニュートラルな位置決めを容易にするために、指を支持するように設計される。この点について、手を隣接する前腕と全体的に整列させることが望ましい。
【００４５】
手は、図４〜図６を見ると分かるように、前腕の隣接する表面に関して、全体的に整列しているか、または（上向きに立てられるのではなく）共面である。ニュートラルな静止位置にある手は、活動が実行されるとき、または実行されるにつれて、共面となる。手首は、グローブのフィーチャによって補助され、安定化され、さらに、手を、実行されている活動により決定される様々な位置に関節を動かすことができる。
【００４６】
親指用のプラスチック製支持部は、本発明のグローブの使用中に、親指、人さし指（第２指）および手首が中立位置または安定位置に配置されるように親指を保持することが分かる。関節線のクレバスにある内装物の第２の部分によって提供されるパッドは、第４指および第５指におけるよりも人差し指および中指において小さいので、指の収縮は、小指および薬指（第５指および第４指）におけるよりも人差し指および中指において制限を受けない。可撓性は、第５指から人さし指に向かって低下する。すなわち、第５指は、人差し指よりも屈曲の制限を受けない。また、親指支持部は、特別なニーズのために、耐燃性材料で作製することができる。
【００４７】
手全体を覆うグローブが本発明を利用する最良の形態であるが、グローブの指の先端が、内装物の前方に、かつ親指を支持するために使用される親指リテーナ３０の前方に配置される場合、本発明から得られる利益を阻害することなく、グローブの指の中央を切断することができる。したがって、指なしグローブが十分に企図される。
【００４８】
したがって、図１２を参照すると、第２の実施形態のグローブが示されている。第２の実施形態は、前述され、ここでは３１０と呼ばれる、特殊な内装物を有する任意の標準的な最小限の裏地が付けられたグローブ３１０を備える。上記のような内装物３１２は、図１３に単独で示されており、他の図では丸みを帯びているのとは対照的に、各指部分の端部で四角く切り取られている。また、エルゴノミックな指付きバージョン３１０および指なしグローブ３６０は、親指を支持するための親指リテーナ３３２を含む。また、図７に、親指区域を除く本発明の指付きグローブを構成する様々な層の断面図が示される。第２の実施形態の指なしバージョンは、同じ構成のものである。これらの図の各々については説明済みである。本発明の目的では、「指なし」という用語は、以下で記載する特定の場所で指の先端および親指の先端が切断されていることを意味する。
【００４９】
次に図１２に目を向けると、この第２の本発明の実施形態の左手のエルゴノミックな指付きグローブ３１０が示されている。右手の指付きグローブは鏡像であるので、詳細には記載しない。本発明のグローブ３１０は、内容物を明らかにし、図１３の内装物３１２をよりよく示すために、任意の標準的なグローブ３１１の掌側のＸ線図である。内装物が外部に配設され、外装物３６０で示される指なしグローブバージョン３６０については、図１４を参照して説明する。指付きか指なしかにかかわらず、標準的なグローブの布地の境界を示すために切取線が使用されていないので、Ｘ線図という用語が図１２について使用される。
【００５０】
図１２では側面部分３３２を有し、また、グローブ３６０の外部に配設することができる親指支持部３３０は外装物と呼ばれ、以下に説明する。図１２のＬおよび図１４のＲは、左手および右手について使用されていることを留意されたい。
【００５１】
したがって、図１３に示される内装物３１２は、内部に装着されているか、あるいは外部に装着されているかにかかわらず、異なる一連の参照番号を用いて上記で説明した３つの部分（手のひら部分３１４、図３に４本の指すべてについて詳細に示された中間あるいは運動制限部分３３９および指部分３１９）を有することが分かる。それの構成に関する第１の実施形態の手のひら部分３１４と手のひら部分１４の相違が容易に分かる。
【００５２】
図１４の指なしグローブ３６１は、競技用グローブまたは運転用グローブなど、任意の標準的な薄い裏地が付いたグローブまたは任意の裏地無しグローブである。そのようなグローブは、図７および図８の説明において言及したように、革または人造皮革の外側層と、グローブの上側または手のひら側のための綿または他の材料の任意選択の布裏地と、手の後部を被覆するための同様の任意選択の裏地および外側層とを有することができる。図７において前述した内装物１２は、この構成では裏地層６１と裏地層６３との間に配設され、したがって、手と直接接触する。ただし、図８の代替的構成では、内装物１２は、外側層６０と裏地層６１との間に介挿される。そのような代替的配置は、第２の内装物３１２にもあてはまる。
【００５３】
この図１２では、内装物３１２は、軟質ポリウレタン、上記の軟質フォームから形成される単一構造であり得るが、３つの部分を有する。第１の部分は、指ごとに１つずつ４つのセクションを有するディジット（指）または指部分３１９であり、それらの各々は、内装物の左手バージョンか、右手バージョンかを示すために「Ｌ」表示または「Ｒ」表示のついた３２０、３２１、３２２、３２３で示される。第２の部分は、図１３の３４１、３４２、３４３、３４４で示される同じく４つのセクションからなる中間部分または関節線部分３３９である。第３の部分は、図１２および図１４に最もよく示されている手のひら部分３１４である。内装物は、複数の指部分の端部の形状がわずか異なるが、第１の実施形態で使用する内装物と同じであるので、第２の実施形態のための内装物に関するさらなる説明は必要ではない。
【００５４】
各指および親指の取付点がそれぞれ第１の「関節線」または屈曲点であると見なす場合、本発明の目的のために指なしとして示されるように、各指の第２または中間関節線および親指の遠位関節線において、またはその付近でグローブ３６０の指を切断しなければならない。これにより、障害なく、指および親指のすべてを完全に屈曲することが可能になる。したがって、内装物３１２は、内装物のいずれの部分もグローブ３１１の各指および親指の切断縁部を越えて延びないように配置しなければならない。長時間の着用を保証するために、各指開口部の縁部および親指開口部の縁部は、円形に縫い付けなければならない。
【００５５】
この第２の実施形態のこの指なしグローブ３６０が誰のために意図されるかについて問うことができる。出願人の特許されたグリップを保持しながら走るまたはジョギングすることを希望するランナーおよびハイカーは、彼らの水筒を保持するために彼らの指を完全に使用する。園芸家は、より安全な態様でシャベル、鋤および他の園芸ツールを使用するために理想なグローブだと分かる。タクシー運転手およびタイピストは、指がハンドルを把持する、またはキーボードの特定のキーを特に衝撃を与えることが可能である必要があるので、この第２の実施形態の使用について良好な候補である。達成すべき効果は、保持すること、把持すること、回すこと、回転させること、すなわち、手および指が行うことができるあらゆる運動などによって、作業位置で片手を使用しながら、骨格を、特に、指、手、手首、前腕、肩および背中を整列させつつ、身体を安定させることである。ツールまたは器具上での腕の移動および手の位置決めは、ウエストから下の身体の位置および安定化に影響を及ぼす。身体は、手および腕の動作に反応し、手のひらを下に向けた状態で腕を横方向に挙げると、腕を横方向に上昇させながら手のひらを回転させるのとは対照的に、胴および頭部の側方角の量が増大する。したがって、いわゆる安定した身体は、健康な身体である。
【００５６】
図１および図３に以前に示した内装物１２に関して、内装物は、ゴムまたは軟質ポリウレタンで形成されており、その中に、関節線が切り込まれ、指部分のサイズを変動させることについて述べられている。同じことが、この第２の実施形態についてもあてはまる。
【００５７】
小指が最も簡単に手首に向かって収縮する、ＩＥ、折りたたむ所望の漸進的な収縮パターンは、糊付けされた、熱溶接された、縫い付けられた材料の複数の層またはこれらの技法の組み合わせを利用することによって達成されることができ、第５指から人さし指まで可変抵抗パターンが生成される。
【００５８】
そのような内装物３１２を示している図１３に注目されたい。
【００５９】
ここでも、内装物３１２の第１の部分３１９は、各指の中手指節間関節線付近から、手首に向かって後方にその特定の指の特定の指間球まで延びている。各第１の部分は、円弧状の前縁部を有してもよく、あるいは、所望される場合には、指先がないグローブとするために直線的に切断されていてもよい。この構成は相違点である。
【００６０】
図１４は、この右手用指なしグローブ３６０の掌側に部分斜視図であり、内装物３１２は、グローブと外装物の両方に採用される材料に応じて糊付け、縫合または熱溶接によって、追加としてグローブの外側に装着され、外装物３１２で示される。この外装物は、単に再配置された内装物３１２と構造的に同様である。これは、市場で容易に入手可能なウレタン接着剤の複数の層で構成される。層の構築は、内装物１２に採用される均一な厚さの材料に溝を切り込むことと同じ結果を達成する。したがって、拡大された図１４では、第５指３２３Ｒは、均一厚さの４つの層を有し、指３２２Ｒは、指３２３Ｒと同じ厚さの３つの層と１つの薄い層とを有する。中指３２１Ｒは、３２２Ｒと同様であるが、１つの薄い層はなく、人さし指３２０Ｒは、２つの層のみを有する。
【００６１】
図３のいくつかの図に示した溝パターンではなく、この外装物の指部分３１９と手のひら部分３１４との間には、約ｌ／１６インチの単一の切込部のみが存在する。もちろん、外装物３１２は、指と直接接触するようにグローブの内側に配置することができ、あるいは、所望され得る場合には、指が直接接触しないようにライナーに挿入することができる。このような場合、エレメント３１２は、内装物で示される。
【００６２】
望まれる収縮結果を達成するめの成層技法を使用すると、ケブラー（登録商標）のような不燃性材料を、消防士、ガラス製作者および戦闘機パイロットのために採用することが可能になる。
【００６３】
外装物３１２とともに採用すべき親指支持部３３０は、親指支持部３３０と同様に構築することができ、また、高熱環境下で使用するために、炭素繊維のような耐火材料から作製することができる。この図１２では、親指は、静止時に、上述の出願人の特許を受けたハンドグリップ上の支持部の位置と極めて類似する位置に置かれる。しかし、必要とされるときに、グローブのこの支持部は、親指が必要なときに把持運動のために動くことができるように、十分に可撓性である。図１４の場合のように外部で使用されるとき、親指支持部３３０は、定位置に糊付けする、あるいは、布地に接着する粘着性の下面を有する包装用布により保持することができる。
【００６４】
もちろん、外装物３１２は、指なしグローブならびに指付きグローブ（特に示されていない）上で使用することができる。
【００６５】
図１５Ａに、本発明のグローブの変形形態が示される。右手グローブのみが示されているが、この説明は、片手のグローブ、または両手のグローブに等しくあてはまる。この変形形態では、小指つまり第５指のための「Ａ」で示されたパッドが除去されている。図１５Ｂにでは、「Ａ」で示された部分だけでなく、「Ａ」部分のすぐ下にある手のひら区域のパッドである「Ｂ」で示された部分も除去されている。どちらの場合にも、この（片手または両手の）グローブの着用する利益が依然として保持されることが分かった。他の指の場所において指および／または手のひら区域のパッドを除去しようとする試みは、すべての活動のためにグローブを使用することから得られる利益に対して有害かつ逆効果である。便宜上、本明細書で先に使用された部分の一般的な番号は保持されるが、これらの２つの図、図１５Ａおよび図１５Ｂについては、４００番台の番号で示される。
【００６６】
観測
本発明のグローブを使用することによって、橈尺骨線がニュートラルアライメントにある位置に手が配置され、したがって、腱炎ならびに他の手および／または手首の怪我が回避される。指の収縮パターンはこのグローブを使用するときには、小指および薬指付近により緊密な収縮パターンをもたらし、それにより、三頭筋および後方三角筋がより大きく使用されるようになり、その結果、胸帯および背中が安定し、内部で回転しないように肩を保ち、それにより、脊柱アラインメントが維持される。
【００６７】
好ましくは対で本発明のグローブを着用者が使用することによって、着用者の生体力学的効率は、親指を中立位置に保持し、支持すること、および指の収縮が段階に制限されることに起因して改善される。
【００６８】
本発明の指付きグローブおよび指なしグローブの外側層に、革、スエード、ビニル、ラテックスゴム、ナイロン、あるいは綿、リネンおよびウールのような布地、ケブラー（登録商標）およびノーメックス（登録商標）など、任意の好適な材料を採用するあることができる。任意選択の裏地は、メリヤス生地、あるいは子羊の毛またはウサギの毛のような他の好適な裏地材料とすることができる。
【００６９】
本発明のグローブの使用者は、本発明のグローブを着用するときに明らかに影響を受けるバランスにより、グローブを指付き、または指なしとすることが観察された。骨格は、主に、小さい骨と数個の大きい骨とで成立することが知られている。歩行時および直立時のバランスの主要部は肩の位置である。肩がまっすぐである場合、脊椎は、その所望の直立位置を保持する。脊椎が誤って配向されているときには、バランスを失う。
【００７０】
着用者Ａ氏がグローブを着用し、グローブを着用していない体力が優れている別の人Ｂ氏とともにアームカール運動に従事しているとき、Ｂ氏は、所与の通常の姿勢から着用者Ａ氏を移動させることは極めて困難であることが観察された。グローブを着用していない場合、Ｂ氏は、極めて容易に着用者Ａ氏を移動させることができる。
【００７１】
別の運動では、着用者がグローブを有し、肘を並べ、グローブを付けた手のひらを定位置で上を向けた姿勢であることを仮定すると、胸部を突く、またはＢ氏が押しても、着用者Ａ氏を後ろに下がらせない。しかし、グローブなしに、腕を全く同じ位置にし、手のひらを上にして肘を置くと、Ｂ氏が突くまたは押すと、着用者を容易に後ろに下がらせる。
【００７２】
グローブをしていない着用者Ａ氏が、プラスドライバーまたは他のネジ回しを手に取り、右手を使用して数回ねじを回した場合、着用者が懸命に動作すると、右肩がアーチ型になることが観察される。これらの回転運動が長期間行われた場合、このことにより、最終的に関節の痛みが生じることがある。しかし、少なくともネジ回しを使用する手にグローブが着用されるとき、グローブをした手の肩は上昇せず、したがって、潜在的な怪我が回避され、着用者の適切な姿勢が保証される。
【００７３】
本質的に、作業者によるグローブの着用は、タスクの性能に貢献する身体的なアラインメントを維持するために作業者を助け、怪我が減り、より簡単になる。したがって、このグローブは、とりわけ、ＦｅｄＥｘ（登録商標）、郵便局およびＵＰＳ（登録商標）の作業者労働者のような宅配業者、建設作業員、ならびに溝掘削作業者／園芸家に推奨される。
【００７４】
さらに、人間の骨格は主に小さい骨で形成されることを理解されたい。グローブを着用すると、背中のアラインメントが安定化し、したがって、これらの小さい骨を互いに対して正しい位置に保持しやすい。人の肩は、適切な姿勢に対して重要である。物を持ち上げるまたは運搬するなどのある特定の雑用を続ける場合、肩は、回転または移動し、そのような運動により、脊椎はバランスの基礎になる位置を変え、それにより、身体が脊椎の配向に反応するので倒れない。
【００７５】
たとえば、人が手動ネジ回しの使用中に腕を左右に回す場合、身体の右側の肩は上下する。しかし、本発明のグローブが着用され、同じ仕事が実行される場合、肩の高さは変わらず、それにより、ねじを回す作業を多数回繰り返した後、物の組み付け中に、グローブを着用しない場合に痛めたかもしれない身体の右側の関節は痛まない。
【００７６】
上記に示唆したことを繰り返すために、本発明のグローブは、着用者の仕事に適するように様々な材料で作製することができる。したがって、消防隊員のためのケブラー（登録商標）生地、雑草を抜くまたは道路沿いの有刺植物区域もしくは畑で働く人々のための革、半導体製造のための「クリーンルーム」で使用するためのコットン、ならびに低温にさらされる人のためのウールは、本発明のグローブのために使用することができる布地のうちのいくつかにすぎない。パッドに好適な材料については上記で説明した。
【００７７】
本明細書に関する本発明の範囲から逸脱することなく、記載した装置にある特定の変更を加えることができるので、上記の記載に含まれ、添付図面に示されるすべての内容は、例示的であり、限定的な意味ではないと解釈される。
【図１】
2015519485.tif 000002
【図２】
2015519485.tif 000003
【図３Ａ】
2015519485.tif 000004
【図３Ｂ】
2015519485.tif 000005
【図３Ｃ】
2015519485.tif 000006
【図３Ｄ】
2015519485.tif 000007
【図４】
2015519485.tif 000008
【図５】
2015519485.tif 000009
【図６】
2015519485.tif 000010
【図７】
2015519485.tif 000011
【図８】
2015519485.tif 000012
【図９】
2015519485.tif 000013
【図１０】
2015519485.tif 000014
【図１１】
2015519485.tif 000015
【図１２】
2015519485.tif 000016
【図１３】
2015519485.tif 000017
【図１４】
2015519485.tif 000018
【図１５Ａ】
2015519485.tif 000019
【図１５Ｂ】
2015519485.tif 000020
【国際調査報告】
2015519485.tif 000021
2015519485.tif 000022